Podtech/llm-jp-corpus-v4-ja_patent huggingface dataset:
(57)【要約】【課題】  様々な規格のページ記述言語をサポートするプリンタにおいて、印刷データが持つ情報から最適の用紙設定を選択する。【解決手段】  印刷データに最適な用紙の情報をあらかじめプリセットとしてプリンタに保存しておき、印刷データにはプリセット名を付加することにより、印刷データに最適な用紙サイズを自動的に選択、設定した後、印刷を実行する。【選択図】  図１
2008012832.tif 000002
【特許請求の範囲】
【請求項１】
任意の用紙長、用紙幅、印刷開始位置での印刷が可能なプリンタにおいて、特定の用紙長、用紙幅、印刷開始位置の組み合わせをプリセット情報としてプリンタに複数設定・保存するプリセット設定手段と、各プリセットにそれぞれ名前を設定する名称設定手段と、印刷データに添付されたプリセット名とプリンタに保存されたプリセットとを比較する比較手段と、印刷データのプリセット名に関連付けられた用紙長、用紙幅、印刷開始位置を、プリンタで使用する用紙サイズとして設定する用紙属性設定手段を有することを特徴とする印刷制御装置。
【発明の詳細な説明】
【技術分野】
【０００１】
本発明は、印刷制御装置に関するものである。
【背景技術】
【０００２】
プリンタで使用される用紙サイズには、Ａ４、レター用紙など、規格化されたものもあるが、それ以外のカスタムサイズのものも多く使用される。プリンタに設置したカスタムサイズの用紙情報（例えば、用紙長、用紙幅、印刷開始位置）をプリンタに設定する際は、印刷データの実行前に、それぞれ、用紙長、用紙幅、印刷開始位置などを逐一入力することが一般的である。また、カスタムサイズの用紙情報を組み合わせてプリセット情報として保存し、これを選択する形で用紙情報を一度に設定できる機能を有するプリンタも存在する。
【０００３】
ところで、或る特定の印刷データは常に或る特定の用紙サイズで印刷されることが想定されるものの、印刷データとプリセット情報とを結びつける手段がないため、該当する印刷データの印刷開始前に、逐次、用紙情報を設定し直す必要がある。
【０００４】
このような場合、印刷データから用紙情報を取得し、その用紙情報に従ってプリンタの設定を行う方法が知られている。
【０００５】
しかし、様々な規格のページ記述言語をサポートするプリンタの場合、サポートするページ記述言語の仕様によっては印刷データの情報だけでは最適な用紙サイズを決定することが困難な場合がある。
【０００６】
特許文献３には、属性情報を印刷装置に備え、その属性情報で印刷を行う点が記載されている。
【０００７】
【特許文献１】特開２００３−１８６６５９号公報
【特許文献２】特開２００５−２７１２６０号公報
【特許文献３】特開２００２−１４９３７５号公報
【発明の開示】
【発明が解決しようとする課題】
【０００８】
本発明の解決しようとする課題は、様々な規格のページ記述言語をサポートするプリンタにおいて、印刷データの情報から最適な用紙を選択することである。特許文献３の構成では、クライアントは一旦属性情報を取得し、これをプリンタドライバでのジョブ生成に反映させる構成である。この場合、属性情報をやり取りする処理が増えてしまう。
【課題を解決するための手段】
【０００９】
上記課題を解決するため、本発明は、任意の用紙長、用紙幅、印刷開始位置での印刷が可能なプリンタにおいて、特定の用紙長、用紙幅、印刷開始位置の組み合わせをプリセット情報としてプリンタに複数設定・保存するプリセット設定手段と、各プリセットにそれぞれ名前を設定する名称設定手段と、印刷データに添付されたプリセット名とプリンタに保存されたプリセットとを比較する比較手段と、印刷データのプリセット名に関連付けられた用紙長、用紙幅、印刷開始位置を、プリンタで使用する用紙サイズとして設定する用紙属性設定手段を有することを特徴とする。
【発明の効果】
【００１０】
本発明の印刷制御装置は、印刷データにプリセット名を付加することで、ホストと印刷制御装置間で属性情報そのものをやり取りすることなく、印刷データに最適な用紙サイズが自動で選択・設定される。
【発明を実施するための最良の形態】
【００１１】
以下、本発明による好適な実施形態を、添付図面を参照しながら説明する。
【００１２】
図１は、本発明の概念図を示している。印刷制御装置３がホスト１に接続されている。ホスト１から印刷制御装置３に対して印刷データ２が送信されると、印刷制御装置３はこれを解析して印刷を実行する。印刷データ２は、印刷データ本体にプリセット名を付加したものである。なお、印刷制御装置３は図示しない印刷機構部に展開済み印刷データを送信する。
【００１３】
印刷制御装置３には、プリセット編集部４、プリセット名比較部５、用紙サイズ設定部６、プリセットテーブル７が存在する。プリセットテーブル７には複数のプリセットエントリーが存在し、各プリセットエントリーは、プリセット８のように用紙長、用紙幅、印刷開始位置の情報を保持している。
【００１４】
プリセット編集部４は、プリセットテーブル７に対し、新規プリセットの追加や、存在するプリセットの削除、および各々のプリセットエントリーの内容を変更する機能を持つ。プリンタのユーザーは本機能を使用して、あらかじめ各印刷データに最適の用紙サイズ情報を登録しておく。
【００１５】
そして、印刷データ２に、適切なプリセット名を付加してホストから送信する。なお、プリセット名の付加はプリンタドライバ等で適宜処理する。
【００１６】
印刷制御装置３は、印刷データ２を受信すると、まず、印刷データ２にプリセット名が有るかを判断する。プリセット名が付加されていると判断した場合、プリセット名比較部５において、印刷データ２のプリセット名と、プリセットテーブル７に保持したプリセットエントリーの名前とを比較する。プリセットテーブル７に一致するプリセット名が存在するとき、用紙サイズ設定部６において、該当するプリセットエントリーに保持されている用紙長、用紙幅、印刷開始位置をプリンタの用紙サイズとして設定し、印刷を開始する。
【図面の簡単な説明】
【００１７】
【図１】本発明の実施方法を示した概略構成ブロック図である。
【符号の説明】
【００１８】
１  ホスト
２  印刷データ
３  印刷制御装置
４  プリセット編集部
５  プリセット名比較部
６  用紙サイズ設定部
７  プリセットテーブル
８  プリセットエントリー１の内容
【図１】
2008012832.tif 000003
(57)【要約】      （修正有）【課題】従来は、ネームスタンプ、三文判、朱肉とを別々にもちあるかなければならず、また銀行等で契約する際、警察で交通反則切符をきられた際等はネームスタンプは使用することができなかった。【解決手段】ネームスタンプ１と、三文判２の結合部６の結合方法は、従来公知の差し込み式で良い。また朱肉は、キャップ３の内側の頂部にフェルトとかスポンジを設けて、それに朱肉を含浸させる。ネームスタンプ、三文判、キャップ内に設けた朱肉が一体化しており、またへこみ５をつけることにより、印字面の向きも間違えずにきちんと鮮明に押すことができる。【選択図】図１
2008012898.tif 000002
【特許請求の範囲】
【請求項１】
片方はネームスタンプまた、他方は三文判である二つの異なる印鑑をそれぞれ印鑑の印字面と反対側の面で結合するとともに、ネームスタンプのキャップには朱肉を設けたことを特徴とする組み合わせ印鑑。
【発明の詳細な説明】
【技術分野】
【０００１】本発明は印鑑に関する
【背景技術】
【０００２】従来の印鑑は、ネームスタンプと三文判に別れ、二つを別々に使い分けなければならず、また三文判に関しても三文判と朱肉とを別々に使い分けなければならないという難点があった。
【発明の開示】
【発明が解決しようとする課題】
【０００３】銀行で契約する際の印鑑、警察の交通違反を起こした時の印鑑等は、いずれもネームスタンプの捺印は認められず、三文判での捺印しか認められず、２つの印鑑を別々に持ち歩かなければならないという欠点があり、また三文判に関しても、朱肉と別々に持ち歩かなければならないという難点があった。
【特許文献】実開昭５９−５９３５５公報
【課題を解決するための手段】
【０００４】本発明は、ネームスタンプ、三文判、朱肉を一体化させたものであり、上記事例であげた際も一つの印鑑で片方は三文判という点から、ネームスタンプも使えるという問題点を解決する。
【発明の効果】
【０００５】従来はネームスタンプ、三文判、朱肉の３点を別々に持ち歩かなければいけないという難点があり、また契約の際、違反を起こした際等のネームスタンプはいけないという難点があったが、本発明により一つの印鑑で、ネームスタンプ、三文判、朱肉を一体化させることにより上記の難点を解決する。
【発明を実施するための最良の形態】
【０００６】片方はネームスタンプまた、他方は三文判である二つの異なる印鑑をそれぞれ印鑑の印字面と反対側の面で結合するとともに、ネームスタンプのキャップには朱肉を設けたことを特徴とする組み合わせ印鑑である。
【実施例】
【０００７】本発明の印鑑を図１により説明する。ネームスタンプ（１）と、三文判（２）の結合部（６）の結合方法は、従来公知の差し込み式で良い。また朱肉は、キャップの内側の頂部にフェルトとかスポンジを設けて、それに朱肉を含浸させる。図１に示されるように、ネームスタンプ（１）、三文判（２）、キャップ（３）内に設けた朱肉（４）が一体化しており、また図１のへこみ（５）をつけることにより、印字面の向きも間違えずにきちんと鮮明に押すことができる。【０００８】図２に示されるように、キャップ（３）を開けた際、ネームスタンプ（１）として使用できる。【０００９】図３に示されるように、三文判（２）にキャップ（３）をかぶせた場合、三文判（２）に朱肉をつけることができるという利便性がある。【００１０】図４に示されるように、キャップ（３）内の朱肉が不足した場合は、キャップ（３）をネームスタンプ（１）から外すだけで、簡単にフェルト等へ朱肉補充液容器（７）により朱肉を補充することができる。【００１１】図５に示されるように、結合部（６）でネームスタンプ（１）と三文判（２）を二つに分離することができ、キャップ（３）内のフェルト等への朱肉を補充するのと同時にネームスタンプ（１）の朱肉も補充できる。
【図面の簡単な説明】
【００１２】
【図１】キャップ（中に朱肉が入った状態）をネームスタンプにかぶせた状態を示す図。
【図２】キャップ、ネームスタンプ、三文判を示す図。
【図３】三文判にキャップをかぶせた状態を示す図。
【図４】朱肉を補充した状態を示す図。
【図５】ネームスタンプの朱肉を補充した状態を示す図。
【符号の説明】
１  ネームスタンプ
２  三文判
３  キャップ
４  朱肉
５  へこみ
６  結合部
７  朱肉補充容器
【図１】
2008012898.tif 000003
【図２】
2008012898.tif 000004
【図３】
2008012898.tif 000005
【図４】
2008012898.tif 000006
【図５】
2008012898.tif 000007
(57)【要約】      （修正有）【課題】ボールペン、シャープペン等の頭頂部にキャラクターを取り付けたもの、クリップ自体をキャラクターとし成形したものがあった。しかし、以下のような問題点があった。（イ）メーカーで取り付けるため、取り外すことができなかった。（ロ）メーカーで作ったものしかなく、沢山のバリエーションがなかった。（ハ）自分好みの個性的なものにすることができなかった。（ニ）普通のボールペンに戻すことができなかった。（ホ）簡単に取替えができなかった。本発明はこれらの問題点を解決するもので、宝飾物等を設けた着脱可能な筆記具保持体を提供する。【解決手段】ボールペンのクリップに差し込む切欠部を有する略円筒形の保持部有し、前記保持部に装飾部を設ける。更に、保持部に弾性を設けることで確実に保持が出来る。【選択図】図１
2008012897.tif 000002
【特許請求の範囲】
【請求項１】
切欠部を有する略円筒形の保持部に、装飾部を設けたことを特徴とする筆記具保持体。
【請求項２】
保持部が弾性を有することを特徴とする請求項１記載の筆記具保持体。
【発明の詳細な説明】
【技術分野】
【０００１】  本発明は切欠部を有する略円筒形の弾性体保持部にキャラクター、デザイン等、装飾物を取り付けた筆記具保持体に関するものである。
【背景技術】
【０００２】  従来、ボールペン、シャープペン等の頭頂部にキャラクターを取り付けたもの、クリップ自体をキャラクターとし成型したものがあった。
【発明の開示】
【０００３】  そのため次のような問題点があった。
（イ）メーカーで取り付けるため、取り外すことができなかった。
（ロ）メーカーで作ったものしかなく、沢山のバリエーションがなかった。
（ハ）自分好みの個性的なものにすることができなかった。
（ニ）普通のボールペンに戻すことができなかった。
（ホ）簡単に取替えができなかった。
本発明はこれらの問題点を解決するためになされたものである。
【課題を解決するための手段】
【０００４】  切欠部を有する略円筒形の弾性体保持部にキャラクター、デザイン、装飾物を取り付け、装飾部を設け、ボールペン等のクリップ部に着脱可能にした筆記具保持体である。
【発明の効果】
【０００５】  女性や子供でも簡単に任意のボールペンのクリップ部等に、多種のキャラクターやデザイン、装飾物等を取り付け、取り外しができ楽しい。
気に入ったボールペンに気に入ったものを取り付けることで、他のものと区別することができる。
メーカーも多種多様なものを無限に作ることができる。
【発明を実施するための最良の形態】
【０００６】  以下、本発明の実施の形態について説明する。
（イ）図１に示すように、切欠部（２）を有する弾性体の略円筒形保持部（１）に装飾部（３）を取り付ける。
本発明は以上のような構成でこれを使用するときは、図２で示すようにボールペン（４）のクリップ部（５）の下方より本発明の上部を差し込むようにする。弾性のある略円筒形保持部（１）はクリップ部（５）を押さえ込もうとするので図２に示すように本発明全体をクリップ部（５）に保持することができる。
また本発明を取り外すときは逆の手順により簡単に取り外すことができる。
【図面の簡単な説明】
【０００７】
【図１】  本発明の斜視図
【図２】  ボールペンに本発明を取り付けた図
【符号の説明】
【０００８】１  略円筒形保持部
２  切欠部
３  装飾部
４  ボールペン
５  クリップ部
６  本発明
【図１】
2008012897.tif 000003
【図２】
2008012897.tif 000004
(57)【要約】【課題】  耳のツボを刺激するだけでなく、耳になじみやすく外観的にも自然で、快適に音楽やラジオを楽しむことができる健康器具を提供すること。【解決手段】  振動リング１ａを外耳道の入口付近の耳甲介腔部１ｃに挿入することでリングの外周に接するツボを振動で刺激する。この振動源として電磁力や圧電の力を用いることとし、同時に音響振動を励振することにより使用者は骨伝導により音楽やラジオを楽しむようにした。また、特定のツボに振動力を集中できるように外周の一部に突起１ｂが設けられており、この振動リング１ａの外周に沿って突起１ｂの基部に嵌合するガイドを形成すること等により、突起１ｂの位置を目的に応じて調整する。【選択図】  図１
2008012093.tif 000002
【特許請求の範囲】
【請求項１】
リング状の振動体を外耳道の入口付近の耳甲介腔部に挿入し振動させることにより耳介の内側にあるツボを刺激することを特徴とする健康器具。
【請求項２】
前記振動体は圧電または電磁方式で励振され、音響振動の発生が可能であることを特徴とする請求項１に記載の健康器具。
【請求項３】
前記リング状の振動体の外周部にツボを集中的に刺激するための突起が設けられ、この突起は前記外周部の一点に設定できるように可動であることを特徴とする請求項１または２に記載の健康器具。
【請求項４】
前記リング状の振動体は周方向の連続性を断つ欠損部を持ち、この欠損部によって生じた開放端を有する音叉が形成されたことを特徴とする請求項１〜３のいずれか１項に記載の健康器具。
【発明の詳細な説明】
【技術分野】
【０００１】
本発明は健康器具に関し、特に耳介の内側にあるツボに振動体をあてがうことで刺激し、同時に音響振動を発生することにより音楽やラジオなどを聴くことができる健康器具に関する。
【背景技術】
【０００２】
健康器具の一種であり、耳介の内側にあるツボを刺激し、食欲の抑制によるダイエット、あるいは胃の活性化などを行うことを目的にするものがある。
【０００３】
従来この種のものとしては、２〜３ｍｍ程度の粒状の物をツボの部分に粘着性のあるテープで固定したり、リング状の金属性のバネでツボの部分を挟んだりしているが、外れやすいことや外観的に奇異な感じもあり、必ずしも使い勝手のよいものでは無かった。
【０００４】
他にも種々の例があるが、たとえば、特許文献１には、止め具によって耳に装着しておくだけで自動的にツボを刺激することができる耳用ツボ刺激具が開示されている。
【０００５】
【特許文献１】特開２０００−１６７０１９号公報
【発明の開示】
【発明が解決しようとする課題】
【０００６】
従来からある耳のツボを刺激する健康器具については、装着感、使用時の快適さ等において十分なものではない。たとえば、特許文献１の耳用ツボ刺激具ではツボの刺激と同時にオルゴールによる音楽を楽しむことができるが、ラジオ放送などの音声を楽しむことはできず、さらに一定間隔でゼンマイを巻き直す必要があり、重量の軽減も困難である。また、ゼンマイに代えてモータを駆動源にするときには消費電力の低減が困難である。
【０００７】
このような状況にあって、本発明の課題は、耳のツボを刺激する目的だけでなく、耳になじみやすく外観的にも自然で、快適に音楽やラジオを楽しむことができる健康器具を提供することにある。
【課題を解決するための手段】
【０００８】
第一の発明はリング状の振動体を外耳道の入口にある耳甲介腔部に挿入することでリングの外周に接するツボを振動で刺激することを特徴とする。第二の発明はこの振動源として電磁力や圧電の力を用いることとし、ツボを刺激する振動と同時に音響振動を励振することにより使用者は骨伝導により音楽やラジオを楽しめることを特徴とする。第三の発明は特定のツボに振動力を集中できるようにリング外周の一部に突起が設けられており、またこのリングの突起は可動式でその位置を目的に応じて調整できることを特徴とする。第四の発明はリングの周方向に欠損部を持ち、その欠損部によって生じた開放端を有する音叉振動が励振されることを特徴とする。
【発明の効果】
【０００９】
本発明によれば、耳道の入口付近にあるツボを、音楽やラジオを聞きながら、刺激することにより、ダイエットなどができる健康器具を提供できる。
【００１０】
また、コンパクトで消費電力が少なく、軽量で耳に装着したときに違和感がなく、快適に使用できる健康器具を提供できる。
【発明を実施するための最良の形態】
【００１１】
以下、図面を用いて本発明の実施の形態を説明する。
【００１２】
（実施の形態１）
図１は本発明の実施の形態１での健康器具の基本構成を耳に装着した状態で示す模式図である。外耳道の入口にある耳甲介腔部１ｃに挿入した振動リング１ａにはリングの一部に突起１ｂが設けられている。この突起１ｂの基部はリング外周に設けられたガイドに沿って移動可能であり、その位置は任意に調整できる。すなわち、耳介の内側の１つのツボの位置に突起１ｂを合わせることができる。
【００１３】
振動リング１ａを駆動する方式として、積層型の圧電アクチュエータの変位を活用してその変位をリング状の音叉構造が拡大し音響振動の発生を可能としたものである。この音叉型振動リングの構成を図２に模式図で示す。２ａは音叉型振動リング、２ｂは積層型の圧電アクチュエータ、２１は音叉の開放端を形成するための欠損部である。この形状により、音叉振動の共鳴現象を利用してツボ刺激に適した周波数での振動を強化できる。なお、小出力タイプでは積層型の圧電アクチュエータ２ｂに代えて電磁方式のアクチュエータを用いるのもよい。
【００１４】
（実施の形態２）
本実施の形態では、矩形の圧電バイモルフ（３０×４×０．６ｍｍ）の周囲を有機物の層で被覆して棒状（３５×５×３ｍｍ）とした駆動源を用い、この先端にアクリル製のリングを振動体として設ける構成とした。図３は本実施の形態２の健康器具を示す模式図であり、３ａは有機物の層で被覆した圧電バイモルフ、３ｂはアクリル製のリングである。
【００１５】
駆動源には電磁方式も可能であり、歯車などの機構部品を組み合わせる方式（特許文献１）に比べると消費電力を低減できるが、圧電方式の利点は軽量な構成で大出力が可能なことである。すなわち、ツボ刺激のための大出力と、音楽などを聴くための音響振動とを軽量な構成で同時に得ることができる。
【００１６】
ところで、リング振動体を外耳道の入口付近に当接するには、リング部分を耳甲介腔部に挿入するだけでも可能であり、この場合は、耳のアクセサリーとしても使用可能である。また、頭部への固定用バンドあるいは固定用アーム等を用いて圧電バイモルフの振動の節の部分を中心に支持してもよい。
【図面の簡単な説明】
【００１７】
【図１】本発明の実施の形態１での健康器具を耳に装着した状態で示す模式図。
【図２】本発明の実施の形態１での音叉型振動リングを示す模式図。
【図３】本発明の実施の形態２での健康器具を示す模式図。
【符号の説明】
【００１８】
１ａ    振動リング
１ｂ    突起
１ｃ    耳甲介腔部
２ａ    音叉型振動リング
２ｂ    圧電アクチュエータ
３ａ    圧電バイモルフ
３ｂ    リング
２１    欠損部
【図１】
2008012093.tif 000003
【図２】
2008012093.tif 000004
【図３】
2008012093.tif 000005
(57)【要約】      （修正有）【課題】スポット溶接用ロボットの重心を安定化させると共に、その先端を軽くし、そのロボットのタクト・タイムが短く、動作が迅速で、反応の早いスポット溶接用ロボットを提供すること。【解決手段】溶接ガン７、溶接トランス５、加圧機構６を有するスポット溶接用ロボットにおいて、スポット溶接用ロボットの先端部の内部に溶接用トランスを内蔵し、当該ロボットの先端部の先端に設けられている当該ロボットのマウント８に溶接ガンのマウントを装着したこと。さらに、前記溶接用トランス及び溶接ガンが小型かつ軽量であること。【選択図】図３
2008012565.tif 000002
【特許請求の範囲】
【請求項１】
溶接ガン、溶接用トランス、加圧機構を有するスポット溶接用ロボットにおいて、
スポット溶接用ロボットの先端部の内部に溶接用トランスを内蔵し、当該ロボットの先端部の先端に設けられている当該ロボットのマウントに溶接ガンのマウントを装着したことを特徴とするスポット溶接用のトランス内蔵型ロボット。
【請求項２】
前記溶接用トランス及び溶接ガンが小型かつ軽量であることを特徴とする請求項１記載のスポット溶接用のトランス内蔵型ロボット。
【発明の詳細な説明】
【技術分野】
【０００１】
本発明は、スポット溶接用のトランスを先端部に内蔵するロボットに関する。
【背景技術】
【０００２】
従来、ロボットに溶接装置を搭載する場合は、溶接ヘッド又はワーク把持装置をその先端に搭載していた（例えば、特許文献１，２参照。）。
特に、スポット溶接用ロボットは、スポット溶接用のトランス及び溶接ガンをスポット溶接用ロボットの先端に一体として搭載していたので、重心は溶接ガンの先端近くにあり、重く、大型で、安定せず、動作も鈍く、タクト・タイムが長く、電力消費量も大きいという問題があった。
【０００３】
【特許文献１】特開２００６−８２０８９号公報（［００１１］）
【特許文献２】特開２００６−８２０８８号公報（［００１３］）
【発明の開示】
【発明が解決しようとする課題】
【０００４】
そこで、本発明は、スポット溶接用ロボットの重心を安定化させると共に、その先端を軽くし、そのロボットのタクト・タイムが短く、動作が迅速で、反応の早いスポット溶接用ロボットを提供することを目的とする。
【課題を解決するための手段】
【０００５】
前記目的を達成するため、本発明のスポット溶接用のトランス内蔵型ロボットは、
スポット溶接用ロボットの先端部の内部に溶接用トランスを内蔵し、当該ロボットの先端部の先端に設けられている当該ロボットのマウントに溶接ガンのマウントを装着したことからなる。
【０００６】
さらに、前記溶接用トランス及び溶接ガンが小型かつ軽量であることからなる。
【発明の効果】
【０００７】
本発明により、スポット溶接用ロボットの重心を安定化させると共に、その先端を軽くし、そのロボットのタクト・タイムが短く、動作が短く、かつ迅速で、反応が早く、さらに作業に応じて最も適した溶接ガンを選定して迅速簡単に取り替え装着が出来るものである。
【発明を実施するための最良の形態】
【０００８】
本発明の実施の形態の一例を図面にしたがって説明する。
図１は、スポット溶接用のロボット本体を示す図である。
ロボット本体１の先端部３の先端に設けられているマウント２に、図２の場合は、溶接用トランス５のマウント４を装着し、図３の場合は溶接ガンのマウント８を装着するものである。
【０００９】
図２は、従来のスポット溶接用のトランス及び溶接ガンをスポット溶接用のロボットの先端に一体として搭載した状態を示す図である。
【００１０】
溶接用のトランス５のマウント４がロボット本体１の先端部３の先端に設けられているマウント２に装着されている。
この従来の形式は、溶接ガン７の後方（ロボット本体１の方向）にトランス５が設けられ当該トランス５の上に加圧機構６が固設され、当該トランス５がロボット本体１の先端のマウント２に装着（搭載）されているため、当該ロボットの重心が先端に近く、不安定になり、スポット溶接用のロボットも大型化され、このため当該ロボットのタクト・タイムは長く、電力消費量も大きなものであった。
【００１１】
図３は、本発明の、溶接用トランスをスポット溶接用ロボットに内蔵した状態を示す図である。
ロボット本体１の先端部３の内部に溶接用トランス５を内蔵させ、ロボット本体１の先端部３の先端に設けられているロボットのマウント２に溶接ガン７のマウント８を装着させ、加圧機構６をロボット本体１の先端部３の上部に固設するものである。加圧機構６は、溶接ガン７の形状により溶接ガン７の上部又は下部に固設することも出来るが（図示せず）、ロボット本体１の先端部３の上部に固設するのが最も好適である。
【００１２】
本発明における溶接ガン７は、重さ約２０ｋｇ、縦約３００ｍｍ、横約１００ｍｍ（従来の溶接ガンは重さ約１００ｋｇ、縦約６００ｍｍ、横約３００ｍｍ）のもので、溶接用トランス５は、高出力化（インバータ約 3,000 ヘルツ）したもので、重さ約２０ｋｇ〜３０ｋｇ、（従来の溶接用トランスはインバータ約 1,000 ヘルツ、重さ約４５ｋｇ〜５０ｋｇ）であり、愛知産業（株）が製造、販売しているもので非常に小型かつ軽量のものである。
【００１３】
このように、溶接ガン７及び溶接用トランス５が小型かつ軽量のものが使用され、当該ロボット本体１の重心が先端より下がって安定化されること等により、当該ロボット本体１も小型化され、稼働のための電量も少なくなり、ロボットの動作も迅速で、タクト・タイムも短くなり、反応も早くなるものである。
【００１４】
又、当該小型かつ軽量の溶接ガン７のマウント８を当該ロボットのマウント２に装着するだけなので、作業に応じて最も適合した溶接ガン７を選定して迅速、簡単に取り替え装着が出来るものであり、溶接トランス５も高出力で小型かつ軽量のものが使用されるので電力消費も低減されるものである。
【図面の簡単な説明】
【００１５】
【図１】スポット溶接用のロボット本体を示す図である。
【図２】従来のスポット溶接用のトランス及び溶接ガンをスポット溶接用のロボットの先端に一体として搭載した状態を示す図である。
【図３】本発明の、溶接用トランスをスポット溶接用ロボットに内蔵した状態を示す図である。
【符号の説明】
【００１６】
１  ロボット本体
２  ロボットのマウント
３  ロボット本体の先端部
４  溶接用のトランスのマウント
５  溶接用トランス
６  加圧機構
７  溶接ガン
８  溶接ガンのマウント      
【図１】
2008012565.tif 000003
【図２】
2008012565.tif 000004
【図３】
2008012565.tif 000005
(57)【要約】      （修正有）【課題】  溶接ロボットに適用した場合でも、ワークとの干渉を可及的に減少させることのできる溶接ヒューム吸引フードを提供する。【解決手段】  アーク溶接ロボット(３)の溶接トーチ(２)部分に配設される溶接ヒュームの吸引フード(１)であって、溶接用ノズル(５)の中心線に対して吸引フード(１)の中心線をロボットアーム(４)の関節(６)側に偏芯させて配置してある。【選択図】図２
2008012584.tif 000002
【特許請求の範囲】
【請求項１】
アーク溶接ロボット(３)の溶接トーチ(２)部分に配設される溶接ヒュームの吸引フード(１)であって、溶接用ノズル(５)の中心線に対して吸引フード(１)の中心線をロボットアーム(４)の関節(６)側に偏芯させて配置してあることを特徴とするアーク溶接ロボット用溶接ヒューム吸引フード。
【請求項２】
吸引フード(１)の断面形状が小判型である請求項１に記載のアーク溶接ロボット用溶接ヒューム吸引フード。
【発明の詳細な説明】
【技術分野】
【０００１】
本発明は、自動アーク溶接機での溶接ヒューム吸引フードに関し、特に、溶接ロボットの溶接トーチに配置される溶接ヒューム吸引フードに関する。
【背景技術】
【０００２】
アーク溶接では、溶接作業時に溶接ヒュームが発生した飛散することから、この溶接ヒュームを吸引排除するようにしている。このような溶接ヒュームの吸引フードとして、溶接トーチの基部に溶接トーチを覆う状態で取り付けたもの(特許文献１)や、溶接トーチのガスノズル部を囲んで、筒状のスカート部を配置し、溶接トーチの基部に組み付けた環状空間枠とからなり、前記スカート部の内部空間と環状空間枠の内部とを連通させるようにしたもの(特許文献２)が提案されている。
【特許文献１】特開２００２−９１７３号公報
【特許文献２】特開２００４−１６０５０６号公報
【発明の開示】
【発明が解決しようとする課題】
【０００３】
前記従来の溶接ヒューム吸引フードは、溶接トーチと同芯の状態に配置してある。溶接トーチの外周に外周ヒューム吸引フ−ド配置した場合、吸引フード内周面と溶接トーチ外周との間の空間がある程度の幅がなければ充分にヒュームを吸引できない。このため、従来の溶接ヒューム吸引フードは、溶接トーチの中心(溶接個所)から吸引フード外周端までの距離が長くなるという問題があった。
【０００４】
このため、溶接トーチに吸引フードを取り付けるという技術を溶接ロボットに適用した場合には、狭隘な個所を溶接するような場合に、吸引フードが溶接ワークに干渉することがあった。
【０００５】
本発明はこのような点に着目して、溶接ロボットに適用した場合でも、ワークとの干渉を可及的に減少させることのできる溶接ヒューム吸引フードを提供することを目的とする。
【課題を解決するための手段】
【０００６】
上述の目的を達成するために請求項１に記載した本発明は、溶接用ノズルの中心線に対して吸引フードの中心線をロボットアームの関節側に偏芯させて配置してあることを特徴としている。
【発明の効果】
【０００７】
溶接個所に溶接トーチを位置させた際、溶接トーチを枢支しているロボットアームの関節部分から離れる側に位置する溶接トーチの周面部分(外側部分)がワークと干渉しやすいが、本発明では、溶接用ノズルの中心線に対して吸引フードの中心線をロボットアームの関節側に偏芯させて配置してあることから、溶接トーチに吸引フードを装着しても、吸引フードの外側部分の突出量を少なくすることができ、吸引フードがワークと干渉することを可及的に抑制することができる。
【発明を実施するための最良の形態】
【０００８】
図は本発明の一実施形態を示し、図１は本発明にかかる溶接ヒューム吸引フードを溶接トーチに装着した状態での溶接ロボットの概略正面図、図２はその要部の取り出し概略説明図、図３は図２のIII−III線矢視図である。
図１に示すように、溶接ヒューム吸引フード(１)は溶接トーチ(２)に装着された状態で、溶接ロボット(３)の揺動アーム(４)の先端部分に揺動可能に枢着してある。
【０００９】
この溶接ヒューム吸引フード(１)は図２及び図３に示すように、溶接トーチ(２)を取り囲む状態に配置した円筒体で構成してあり、その中心軸の軸芯(Ｘ1)は溶接トーチ(２)の溶接ノズル(５)の軸芯(Ｘ２)に対して、揺動アーム(４)の先端に位置している関節(６)側に偏芯している。
【００１０】
そして、この溶接ヒューム吸引フード(１)から導出する吸引ダクト(７)は溶接ノズル(５)から一番遠く離れた個所に連通接続している。
【００１１】
図４は、溶接ヒューム吸引フード(１)の別の実施形態を示す。これは、溶接ヒューム吸引フード(１)を断面小判型の筒体で構成し、その溶接ヒューム吸引フード(１)の中心軸の軸芯(Ｘ３)を溶接トーチ(２)の溶接ノズル(５)の軸芯(Ｘ２)に対して、揺動アーム(４)の先端に位置している関節側に偏芯させて形成したものである。この場合、吸引ダクト(７)との連通開口部(８)も揺動アーム(４)の先端に位置している関節側に偏芯させている。
【００１２】
このように溶接ヒューム吸引フード(１)の軸芯を、溶接ノズル(５)のノズル軸芯(Ｘ２)に対して揺動アーム(４)の先端に位置している関節側に偏芯させて位置させた場合には、溶接トーチの外周に充分な空間を確保しておくことができることから、溶接部で発生する溶接ヒュ−ムを確実に吸引排除することができる。
【００１３】
また、その場合、溶接トーチ(２)の軸芯から揺動アーム(４)の反関節側での溶接ヒューム吸引フード(１)の外周までの距離を短く設定することができることから、溶接作業時おいて、溶接ヒューム吸引フード(１)が溶接ワークと干渉することを抑制することができる。
【００１４】
上記の各実施形態では、溶接ヒューム吸引フード(１)を断面積が一定の筒体で構成したものについて説明したが、先広がりテーパーで形成したホーン形状の筒体で構成するようにしてもよい。
【産業上の利用可能性】
【００１５】
本発明は、トーチノズルに取り付けることでシールドガスを使用するアーク溶接装置でに利用することができる。
【図面の簡単な説明】
【００１６】
【図１】本発明にかかる溶接ヒューム吸引フードを溶接トーチに装着した状態での溶接ロボットの概略正面図である。
【図２】要部の取り出し概略説明図である。
【図３】図２のIII−III線矢視図である。
【図４】別の実施形態を示す図３相当図である。
【符号の説明】
【００１７】
１…吸引フード、２…溶接トーチ、３…アーク溶接ロボット、４…ロボットアーム、５…溶接用ノズル、６…ロボットアームの関節。
【図１】
2008012584.tif 000003
【図２】
2008012584.tif 000004
【図３】
2008012584.tif 000005
【図４】
2008012584.tif 000006
(57)【要約】【課題】環境や人体に優しい還元電位水を省エネで製造し、水に気ガスを強く溶解させて水素ガスが抜けにくく、高効率に溶存させる混合製法で大変高い還元電位の水素の豊富な水を生成することが可能な溶存水素還元水装置の提供を目的とする。【解決手段】上記目的を達成するためになされた請求項１の発明に係る溶存水素還元水装置は、リリーフ弁を設けた圧力タンクを水と気ガスを溶解混合する撹拌混合ポンプとミキサーの二次側に設けて、リリーフ配管を撹拌混合ポンプの吸込み管路と結んだ事を特徴とする気ガス循環溶解槽水を備えた事を特徴と有する。【選択図】図１
2008012518.tif 000002
【特許請求の範囲】
【請求項１】
リリーフ弁を設けた圧力タンクを水と気ガスを溶解混合する撹拌混合ポンプとミキサーの二次側に設けて、リリーフ配管を撹拌混合ポンプの吸込み管路と結んだ事を特徴とする気ガス循環溶解槽
【発明の詳細な説明】
【技術分解】
【０００１】本発明は、酸化還元電位値の低い溶存水素還元水製造装置に関するものである。
【背景技術】
【０００２】近年になり環境や人体に優しい水として酸化還元電位水が注目されている。酸化還元電位（以下「ＯＲＰ」という）とは、その物質が他の物質を酸化し易い状態の電位にあるか、還元し易い状態の電位にあるかの指標である。通常水道水のＯＲＰは＋２００〜＋８００ｍＶであり、人間の体液は−５００〜＋２５０ｍＶである。従来は水を電気分解して酸化還元電位水を製造している。水を電気分解すると電極の陰極側水はＯＲＰがマイナス側に大きくなるがＰＨも上昇しアルカリ性となるため、酸を加えて中和して中性のマイナスＯＲＰの還元電位水を得ていた（例、特許文献１参照）。また混気ポンプやミキサーで水と水素ガスを混合撹拌して送水する仕組みもある。【０００３】
【特許文献１】  特開２００２−３６１２５０号広報
【発明の開示】
【発明が解決しようとする課題】
【０００４】従来の電解製造法ではマイナスＯＲＰの還元電位水ではあるが、酸を加えて中和するという工程が必要であり還元電位水の量産が困難であった。混気ポンプやミキサーで水と水素ガスを混合撹拌して送水する仕組みでは溶解効率が悪く、水素ガスの無駄な放出がある。従来の方法では溶存水素の大気放出が早く、酸化還元電位もプラス電位の酸化水に戻る。市販される水素水も宅配時には水素濃度ＤＨは０、マイナス５００ｍＶと記載する還元電位水も宅配時にはプラス２５０ｍＶ程度の酸化性水になっている。
本発明は、元来中性水である水道水に水素ガスを高効率で溶存させて水素の還元電位（マイナス４２０ｍＶ）を大幅に超えるマイナス６００ｍＶを生成して、溶出しにくい溶存水素還元水の製造を目的とする。
【課題を解決するための手段】
【０００５】上記目的を達成するためになされた請求項１の発明に係る気ガス循環溶解槽は、水と水素ガスを混気ポンプ１やミキサー２で撹拌混合した混合水素水を、その二次側管路に設けた上部にリリーフ弁４を設けた圧力タンク３内で水素ガスを放出させて気水分離を行う。
リリーフ弁４から混気ポンプ１の吸水配管１２とリリーフ管５で結び、リリーフ設定圧力到達時に余剰水素ガスは混気ポンプ１にリターンして再び混気ポンプ１やミキサー２で撹拌混合される特徴を有する。
【発明の効果】
【０００６】混気ポンプ１やミキサー２で撹拌混合して圧縮送水される混合水素水の不溶解水素気ガスは圧力タンク３内で気水分離して圧力タンク３内上部に貯まり、流入水によりリリーフ設定圧力まで圧縮される。リリーフ設定圧力に到達した時点でリリーフ弁４が開放になり、混気ポンプ１の吸水配管１２より再び混気ポンプ１やミキサー２で撹拌混合される仕組みで、圧力タンク３に設けた圧力スイッチ１４により気ガス配管８に設けた電動弁１５を開閉し気ガスの無駄な供給や大気放出が無くなり水素発生装置６や水素ボンベ７は小型で済む。
同時に圧力タンク３内で気水分離して水素気ガスは圧力タンク３内上部に貯まり圧縮されることで水への溶解を促進して、空気や酸素に接触することが無く従来よりも高い水素濃度で、酸化還元電位も戻りにくい水素飽和溶存水を生成できる。
医学的に健康に影響を及ぼす溶存活性酸素が溶存水素により抑制されることが確立していて多くの機能水が販売されるが、市販される水素水も宅配時には水素濃度ＤＨは０、ＯＲＰマイナス５００ｍＶと記載する還元電位水も宅配時にはプラス２５０ｍＶ程度の酸化水になっている。本発明の溶存水素還元水装置で製造された還元水は、無味無毒の溶存水素量が高く酸化しにくい中性の安全な水に生成されるので、プール・大衆浴場・医療機器や精密機器の洗浄、食品加工・製造、清涼飲料水、化粧品、農業や工業用水の水質改善に用いることができる。
【実施例】本発明の実施の形態を図１の溶存水素還元水装置のフロー図を以って説明する。
流量調整弁１１を設けた吸水配管１２を混気ポンプ１の吸込口９と結び、吸水配管１２と水素発生装置６や水素ボンベ７を気ガス配管８で結ぶ。混気ポンプ１の吐出口１０からミキサー２を介して圧力タンク３を結ぶ。圧力タンク３の上部位にリリーフ弁４と圧力スイッチ１４を設け、リリーフ弁４出口と混気ポンプ１の液体吸込口９とを結ぶ。圧力タンク３下部位の送水配管１３からラインへ送水する。
【図面の簡単な説明】
【０００７】
【図１】本発明の溶存水素還元水装置のフロー図
【符号の説明】
【０００８】  １  混気ポンプ
２  ミキサー
３  圧力タンク
４  リリーフ弁
５  リリーフ管
６  水素発生装置
７  水素ボンベ
８  気ガス配管
９  吸込口
１０  吐出口
１１  流量調整弁
１２  吸水配管
１３  送水配管
１４  圧力スイッチ
１５  電動弁
【図１】
2008012518.tif 000003
(57)【要約】【課題】歯と歯の間の透き間を十分に磨けるようにする。【解決手段】ブラシ素線をブラシ回転軸の表面に放射状に植え込むように取り付けてブラシ部を構成させ、このブラシの回転軸を、歯ブラシ本体に内蔵されたモーターの回転軸に一直線に接続するようにする。【選択図】図４
2008012271.tif 000002
【特許請求の範囲】
【請求項１】
ブラシの素線を、ブラシの回転軸の表面に、第５図のように、放射状に植え込むように取り付けてブラシ部分を構成させ、このブラシ部分の回転軸を、歯ブラシ本体に内蔵されているモーターの回転軸に、第４図のように、一直線に接続させる構造にしたものである。
【発明の詳細な説明】
【技術分野】
【０００１】  この発明は、人が歯を磨くときに用いる歯ブラシに関するもので、特に、近年は、生活水準の向上とともに、限られた時間内で、より効率的で、磨き仕上がりもよく、楽な歯磨き嗜好の愛用者が居る電動歯ブラシに関するものである。
【背景技術】
【０００２】  従来の電動歯ブラシは、第１図のように、ブラシの回転軸方向と、歯ブラシに内蔵されているモーターの回転軸方向が直角になっており、そのために、ブラシの平坦な回転端面で歯磨きを行うようになっているものである。
【発明が解決しようとする課題】
【０００３】  本発明は、近年登場して来た電動歯ブラシに関するものであるが、現在使用されている第１図のような電動歯ブラシについて、解決したい問題点がある。ここで、その問題点を述べる前に、歯を磨くポイントとなる場所を箇条書きにしておくと、参考として第２図に示したが、（イ）歯の表面  （ロ）歯と歯ぐきの境の透き間  （ハ）歯と歯の間の透き間  の３箇所である。この電動歯ブラシは、第１図のように、ブラシの回転軸方向と歯ブラシ本体に内蔵されているモーターの回転軸方向が直角になっており、そのために、ブラシの回転部分の取り付け状態からおのずと導かれる当然の機能として、前述の箇条書きした（イ）の歯の表面は、ブラシの回転端面で磨けると同時に、（ロ）の歯と歯ぐきの境の透き間もブラシの回転端面の角付近で磨けるが、本発明の発端となったその問題点は、（ハ）の歯間透き間に関して、そこを磨く電動歯ブラシとしては、第３図に示すように、ブラシ部分が回転しながら左右に移動しても、ブラシの素線がそれぞれのまっすぐな１１歯間透き間に対しては積極的に入り込んで行けないので、十分に磨けず、不適当であると言う事である。
【課題を解決するための手段】
【０００４】  本発明は、上述の問題点を解決するために、第４図のように、ブラシの回転軸を、歯ブラシ本体に内蔵されたモーターの回転軸に一直線に接続するような構造にした。
【発明の効果】
【０００５】  第４図の本発明の電動歯ブラシを水平に持ってブラシを歯に当てると、第６図のように、歯の表面については、何の問題もなく磨きを実行できる。
そして、本発明が解決しようとする歯間透き間については、さらに第６図のように、ブラシ部は、回転させながら歯の表面や歯ぐきの境の透き間に沿って左右に移動させて行くわけであるが、回転するブラシ円周面のブラシ素線の回転軌跡が、歯間透き間の方向と一致しているので、このブラシ素線が、歯間透き間にどんどん入り込んでいって、本電動歯ブラシの磨き機能は、十分に達成できるものである。
次に、歯と歯ぐきの境の透き間については、上歯を磨く場合には、第７図のように上向きに立てる様に持って歯ぐきの境の透き間部分に当てて、ブラシ素線を回転させながら左右に移動させて行くと、この透き間の方向とブラシ素線の回転の方向が一致しているので、くまなく、透き間の磨きと共に歯垢を積極的に取り除くことができる。
下歯についても、歯ブラシを上向きや下向きにして、磨きやすい方法で、十分、磨きの機能を発揮することができる。
【発明を実施するための最良の形態】
【０００６】  本発明の実施に際しては、第５図のように、ブラシの素線をブラシの回転軸の表面に放射状に植え込むように取り付けてブラシ部を構成させ、このブラシの回転軸を、第４図のように、歯ブラシ本体に内蔵されているモーターの回転軸に一直線に接続させる構造にするものである。
【図面の簡単な説明】
【図１】は、今日の一般的な電動歯ブラシの正面図である。
【図２】の（イ）は、上前歯の一部を切断した拡大図である。（ロ）は、（イ）を左側から見た正面図である。
【図３】の（イ）は、上前歯を［図１］の電動歯ブラシで磨いている拡大図である。（ロ）は、（イ）の正面図である。
【図４】は、本発明の電動歯ブラシの正面図である。
【図５】は、本発明のブラシを左側から見た拡大図である。
【図６】の（イ）は、上前歯を［図４］の電動歯ブラシで磨いている拡大図である。（ロ）は、（イ）の正面図である。
【図７】は、歯ブラシをタテに当てた上前歯の正面図である。
【符号の説明】
１は電動歯ブラシ本体
２はブラシ素線
３はブラシ回転軸
４はモーター回転軸
５はモーター
６は乾電池
７はブラシ回転端面
８は歯の表面
９は歯ぐき
１０は歯と歯ぐきの境の透き間
１１は歯間透き間
１２は電動歯ブラシ本体
１３はブラシ素線
１４はブラシ回転軸
１５はモーター回転軸
１６はモーター
１７は乾電池
１８はブラシ円周面
【図１】
2008012271.tif 000003
【図２】
2008012271.tif 000004
【図３】
2008012271.tif 000005
【図４】
2008012271.tif 000006
【図５】
2008012271.tif 000007
【図６】
2008012271.tif 000008
【図７】
2008012271.tif 000009
(57)【要約】【課題】うつぶせ寝を既存の寝具を使用して行ううえで、使用者の頭部頚部の大きさに合わせることができ、かつ、寝返りを打ちにくくしてうつぶせ状態の安定維持を実現する。【解決手段】枕部分を可動式にすることで使用者の体型に合わせられるようにし、使用者の頭部を枕部分の曲面にて反転しにくいよう接面することに加え使用者の腕部を胸当て台部分から斜めに垂れ下がることで寝返りが起こりにくくする。【選択図】  図1
2008012217.tif 000002
【特許請求の範囲】
【請求項１】
うつ伏せで寝ることを目的とする寝具
【発明の詳細な説明】
【技術分野】
【０００１】
本発明は、現在使われているベッド、布団などの上に置くだけでうつぶせ寝ができる寝具に関するものである。
【背景技術】
【０００２】
市販の布団、枕を用いてうつ伏せで寝ると頭が持ち上がり頚部が圧迫され、また、顔面が布団および枕に押し付けられるため呼吸が苦しいなどの問題があった。
【０００３】
この改善策として、胸部に当てる台部分を作ることが考えられる。
【特許文献１】特開２００２−８５２３２
【０００４】
また、呼吸を楽にするために鼻や口に空間を確保することが考えられる。
【特許文献２】特開２００６−５５３８３
【発明の開示】
【発明が解決しようとする課題】
【０００５】
就寝中の寝返りが安易であることで、うつ伏せ状態が維持できない。また使用者の頭部、頚部の大きさ長さに大きく個人差があり、使用者によって使いにくい、もしくは使えない。
【課題を解決するための手段】
【０００６】
本発明は、使用者頭部を反転しにくくするために使用者の額から頭部にかけて接面する曲面を持つ枕部分（図2）を胸当て台部分（図3）に連結すること（図4）で頭部を動きにくくし、さらに使用者腕部を胸当て台部分より斜めに垂れ下がるようにすること（図1の1）で体を押し上げる腕の力を入れにくくして、寝返りを打ちにくくする。そして枕部分を台部分から可動式にすること（図4の5）でそれぞれの使用者の頭部、頚部の大きさに合わせることができる。
【発明の効果】
【０００７】
本発明のうつぶせ寝用寝具は、使用者の体型を選ばずに、かつ安定したうつぶせ状態の維持を実現する。
【発明を実施するための最良の形態】
【０００８】
既存のベッド、布団の上に置き、うつぶせ寝ができる。
【実施例】
【０００９】
図1は、本発明装置を使用したうつ伏せ寝を横から見た図である。
【図面の簡単な説明】
【００１０】
【図１】本発明装置の使用した説明図（実施例）（課題を解決するための手段）
【図２】本発明装置の枕部分（課題を解決するための手段）
【図３】本発明装置の胸当て台部分（課題を解決するための手段）
【図４】本発明装置の枕部分と胸当て台部分を連結した図（課題を解決するための手段）
【符号の説明】
【００１１】
１  使用者腕部が斜めに垂れ下がることにより寝返りが打ちにくい。
２  使用者頭部が反転しにくいように、額から頭部にかけて接面する曲面になっている。
３  枕部分と胸当て台部分を連結するレール。
４  枕部分のレールをうける凹部分
５  レールにより連結しているので、枕部分は可動し使用者の体型に合わせることができる。
【図１】
2008012217.tif 000003
【図２】
2008012217.tif 000004
【図３】
2008012217.tif 000005
【図４】
2008012217.tif 000006
(57)【要約】      （修正有）【課題】要介護者が座位状態のとき、自分の胴部の安定性を図り、かつ自立性を高めること。【解決手段】天板部１の少なくとも一辺に深い切り欠き部２を有し、その切り欠き部に使用者の胴部の挿入が可能であり、挿入された状態のとき使用者の前方及び左右の側方に天板部の一部があることにより、使用者の胴部の安定を図ることができる。さらに使用者の胴部が切り欠き部に挿入された状態のとき使用者の手の届く範囲の位置に係合部３があり使用者が係合部を持って、自分で座卓を手前に引き寄せることを可能にすることにより、この課題を解決する。【選択図】図２
2008012269.tif 000002
【特許請求の範囲】
【請求項１】
天板部と脚部を有する座卓であって、前記天板部は少なくとも一辺に切り欠き部を有し、記切り欠き部に使用者の胴部を挿入可能であり、使用者の胴部が前記の切り欠き部に挿入された状態のとき、使用者の前方及び左右の側方に天板部の一部があることを特徴とする座卓。
【請求項２】
使用者の胴部が切り欠き部に挿入された状態のとき、使用者の手の届く範囲の位置に係合部があり、使用者は係合部を持って座卓を手前に引き寄せることが出来ることを特徴とする請求項１に記載の座卓。
【請求項３】
係合部は天板部の一部に形成された切り欠きであることを特徴とする請求項２に記載の座卓。
【請求項４】
天板部の胴部を挿入する切り欠き部に弾性材があることを特徴とする請求項１ないし２に記載の座卓。
【請求項５】
脚部を折りたたむことが出来ることを特徴とする請求項１ないし４のいずれにも記載の座卓。
【発明の詳細な説明】
【技術分野】
【０００１】  本発明は、テーブルに関するものであり要介護者が家庭等において座位にて使用するためのものである。
【背景技術】
【０００２】  従来から車椅子を利用する要介護者のためのテーブルは考案され利用されている。この例として特許文献に開示されているものがある。
【特許文献】  実開平  ６−８１５２５  特開平  １０−８５０４６  特開    ２００４−２２２７５３
【発明の開示】
【発明が解決しようとする課題】
【０００３】  しかし、従来の形式のものは病院、介護施設等での使用を中心としたものであり、家庭また和室には不便であるため家庭における要介護者の便を図ることを課題とする。
【課題を解決するための手段】
【０００４】  この課題を解決するための請求項１の発明は、天板部の少なくとも一辺に深い切り欠き部を有し、その切り欠き部に使用者の胴部の挿入が可能であり使用者の胴部が前記の切り欠き部に挿入された状態の時使用者の前方および左右の側方に天板部の一部があることにより、使用者の胴部の安定を図ることが出来るものである。（図１・図２）【０００５】  また請求項２および請求項３の発明は使用者の胴部が切り欠き部に挿入された状態のとき、使用者の手の届く範囲の位置に係合部があることにより、使用者は係合部を持って自分で座卓を手前に引き寄せることを可能とするものである。（図３）【０００６】  さらに請求項４の発明は、請求項１の切り欠き部に使用者の胴部が挿入された状態のとき使用者の胴部が天板部からの衝撃を緩和させることを目的として弾性材を取り付けたものである。（図１、図２）【０００７】  この発明は、脚部を折りたたむことができるため収納の場所を取らない請求項１ないし請求項４のいずれにも記載の座卓である。（図４）
【発明の効果】
【０００８】  この発明によって要介護者が座位状態のとき、自分の胴部を支え、かつ安定性を保ち、食事読書その他簡単な手作業等を行いやすくし、自立性を保つことができる。（図２）【０００９】  また脚部が折りたためるので収納に場所を取らない。（図４）
【発明を実施するための最良の形態】
【００１０】  図２は天板部の切り欠き部に使用者の胴部が完全に挿入されてしまうことを特徴とするものである。使用者の胴部が挿入された状態のとき、使用者の左右の側方に天板部の一部があることにより使用者が胴部を支え安定性を保つことが出来るようにしたものである。（図２を参照）
【産業上の利用可能性】
【００１１】  この発明に係る座卓は工業的に量産することが可能であるため産業上の利用可能性を有する。
【図面の簡単な説明】
【００１２】
【図１】  本発明の要介護者用座卓の斜視図である。
【図２】  同上座卓の使用者の胴部が挿入された状態を示す斜後方視図である。
【図３】  同上座卓の係合部の形態例を示す真上視図である。
【図４】  同上座卓の脚部を折りたたんだ状態の真横視図である。
【符号の説明】
【００１３】  １    天板部
２    切り欠き部
３    係合部
４    弾性材
５    脚部
【図１】
2008012269.tif 000003
【図２】
2008012269.tif 000004
【図３】
2008012269.tif 000005
【図４】
2008012269.tif 000006